Podtech/llm-jp-corpus-v4-ja_patent huggingface dataset:
(57)【要約】      （修正有）【課題】トイレットペーパーホルダーの背面に角度を付けて手前に向けるとともに、取り付け位置を可動式にすることで巻き取りやすくしたトイレットペーパーホルダーを提供する。【解決手段】ペーパーホルダーの背面に角度１０をつけ、かつ、背面にマグネット６を備える事でトイレの側面に固定した金属製台座７の範囲内で取りつけやすい位置に貼りつけてセットできる事を特徴として該可動式トイレットペーパーホルダーを形成する。【選択図】図４
0003172457.tif 000002
【実用新案登録請求の範囲】
【請求項１】
ペーパーホルダーの端に角度をつけ、かつ、ペーパーホルダーの背面にマグネットをつけ、右または左の使用状況に応じて取り付けた金属製台座の広さの範囲内にペーパーホルダーを引き出しやすい位置に配して使用できる。
【考案の詳細な説明】
【技術分野】
【０００１】  本考案は、トイレットペーパーホルダーの背面に角度を付けて手前に向けるとともに、取り付け位置を可動式にすることで巻き取りやすくしたものである。
【背景技術】
【０００２】  従来トイレットペーパーホルダーの多くは、右または左側面に対して平行に取り付けられていたが、この状態ではペーパーを座面に対して直角に引き出すことになり引き出しにくかった。
【考案の概要】
【考案が解決しようとする課題】
【０００３】  トイレットルームの右または左側面に平行に取り付けられたペーパーホルダーにおいては、ペーパーが側面に対して直角に引き出されることになり、使用者にとっては使いにくいものとなっている。
また、いったん取り付けたペーパーホルダーはそこに固定されてしまうので、使用者にとってはその位置が必ずしも使いやすい位置とはなっていない。
【課題を解決するための手段】
【０００４】  本考案は、ペーパーホルダーの背面に角度を付けて壁面に取り付けることでペーパーホルダーを使用者側に向けて引き出しやすくすることで問題を解決している。
また、ペーパーホルダーはそのまま壁面に固定するのではなく、金属製の台座を壁面に固定し、その上にマグネットでペーパーホルダーを付けることで可動式にし、使用者に応じて巻き取りやすい位置に設置できるようにするものである。そのために金属製の台座には十分な広さを持たせてその範囲内で可動できるようにすることで問題を解決している。
【考案の効果】
【０００５】  身体が不自由な老人や障害者でも簡単・快適に使用できる。
【図面の簡単な説明】
【０００６】
【図１】本考案の角度付き可動式トイレットペーパーホルダーをトイレットルーム左側面にとつけた場合の上面図
【図２】右側面に取り付けた場合の上面図
【図３】右側面に取り付けた場合の斜視図
【図４】左側面に取り付けた場合の斜視図
【図５】ペーパーホルダーの背面にマグネットを取り付けた背面図
【考案を実施するための形態】
【０００７】  角度付きペーパーホルダー背面に付けたマグネットで、右または左側面に取り付けた金属製台座に付け、その台座の範囲内でペーパーを巻き取りやすい位置にホルダーを配して使用することができる。
【実施例】
【０００８】  金属製台座をトイレットルーム側面の左右どちらかに使用者に合った位置に取り付ける。そして、その台座の範囲内の引き出しやすい位置にマグネット付きペーパーホルダーを取り付ける。
【符号の説明】
【０００９】  １  トイレットルーム左側面に取り付け真上から見た図
２  トイレットルーム右側面に取り付け真上から見た図
３  ホルダーの背面にマグネットを取り付けた図
４  トイレットルーム左側面に取り付け斜視図
５  トイレットルーム右側面に取り付け斜視図
６  マグネット
７  金属製台座
８  トイレットルーム側面
９  トイレットペーパー
１０  取り付け面に対する角度
【図１】
0003172457.tif 000003
【図２】
0003172457.tif 000004
【図５】
0003172457.tif 000005
【図３】
0003172457.tif 000006
【図４】
0003172457.tif 000007
【手続補正書】
【提出日】平成23年9月22日(2011.9.22)
【手続補正１】
【補正対象書類名】実用新案登録請求の範囲
【補正対象項目名】全文
【補正方法】変更
【補正の内容】
【実用新案登録請求の範囲】
【請求項１】
ペーパーホルダーの背面に角度をつけ、かつ、背面にマグネットを備える事でトイレの側面に固定した金属製台座の範囲内で取りつけやすい位置に貼りつけてセットできる事を特徴とする角度付き可動式トイレットペーパーホルダー。
(57)【要約】      （修正有）【課題】極微量の液体（例えば０．０１ｃｃ）が流れたかどうかを検出するための、小型軽量、安価なセンサを提供する。【解決手段】チューブ８、管路４、チューブ９内を流体が下から上へ流れると、金属円筒６は押し上げられて上方に移動する。その時光電スイッチ５は金属円筒６を検知し信号を発信する。流体の流れが止まると金属円筒６は元の位置に沈み込む。金属円筒６の外径はチューブ８，９の内径より大きいのでチューブ８，９内へ入ることなく、管路４内を流れに応じて上下する。金属円筒６の内径１０は流体の通路となる。管路４の内径を２．５ミリとすると、流量が０．０１ｃｃのとき金属円筒６は約２ミリ浮き上がるので市販の光電スイッチ５で十分検知できる。【選択図】図１
0003172453.tif 000002
【実用新案登録請求の範囲】
【請求項１】
下部に流入口を形成し、上部に流出口を形成し、中央内部に管路を形成し、この管路の外側に検出スイッチ、管路内に摺動自在な円筒を配置して構成したことを特徴とする流れ検出センサ。
【請求項２】
請求項１の流れ検出センサ内の円筒の移動量を流体の所要測定量に換算する演算機能を持つアンプと、請求項１の流れ検出センサとでなる組み物。
【考案の詳細な説明】
【技術分野】
【０１】液体が管路内を流れたかどうかを検出するセンサに関する。
【背景技術】
【０２】従来、極微量の液体（例えば０．０１ｃｃ）が流れたかどうかを検出するのに、小型軽量、安価なセンサが普及していなかった。ダイヤフラム構成の流量計、圧力計等ではダイヤフラムによる体積変化が流れを吸収してしまう。水車形式のセンサは極微量の流れを検知できない。又、構造が複雑で気泡が溜り、流れを吸収し、流れを乱すことがある。
極微量を送るポンプ（例えばシリンジポンプ）は高精度のものが普及し、流量そのものを計測しなくても流れたかどうかを検知すればよい場合が多い。
【考案が解決しようとする課題】
【０３】検知のために体積変化を起こさないこと。気泡が溜まらない構造であること。
【課題を解決するための手段】
【０４】本考案では下部流入口と上部流出口を有する筐体の管路内に摺動自在な円筒フロート（流体より密度の大きい）を挿入し、流れの無いときは下部流入口側に沈み込んで、下部流入口より流体が流れ込むと円筒フロートが流れに押され上部流出口側に上昇する。管路外側に検知センサを置き、円筒フロートの動きで流れの有無を検知する。流れがなくなると円筒フロートは再び下部流入口側へ沈み込む。
【実施例１】
【０５】流れセンサ１は、下部に流入口を形成する管継手２、上部に流出口を形成する管継手３、中央内部に管路４、管路４の外側に光電スイッチ５、管路４内に摺動自在な金属円筒６、下部外周に管継手２のネジ延長部１１と螺合する固定ナット７を配置して構成している。金属円筒６の内径１０は所要の流体の流れで抵抗が生じて浮き上がる様に寸法を決定する。管継手２、管継手３に夫々チューブ８，９を挿入する。チューブ８，９の内径は金属円筒６の外径より小径のもとする。金属円筒６は下端停止時に光電スイッチ５で検知できない位置に配置する。固定ナット７は流れセンサ１をブラケットなどに取り付けた時、固定に使用する。本体１２は透明材質で成り、光電スイッチ５は金属円筒６が検知位置にくると光が遮断され検知する。
【作用】
【０６】チューブ８、管路４、チューブ９内を流体が下から上へ流れると、金属円筒６は押し上げられて上方に移動する。その時光電スイッチ５は金属円筒６を検知し信号を発信する。流体の流れが止まると金属円筒６は元の位置に沈み込む。金属円筒６の外径はチューブ８，９の内径より大きいのでチューブ８，９内へ入ることなく、管路４内を流れに応じて上下する。金属円筒６の内径１０は流体の通路となる。管路４の内径を２．５ミリとすると、流量が０．０１ｃｃのとき金属円筒６は約２ミリ浮き上がるので市販の光電スイッチ５で十分検知できる。
【効果】
【０７】体積変化がないので寸法選定で微量流量から大流量まで適応できる。
【０８】構造内全てに流体が流れるから気泡が溜まらない。
【０９】構造が簡単で安価に提供できる。
【実施例２】
【１０】流れセンサ２１は、下部に流入口を形成する管継手２２、上部に流出口を形成する管継手２３、中央内部に管路２４、管路２４の外側に近接スイッチ２５、管路２４内に摺動自在な金属円筒２６。金属円筒２６の内径３０は所要の流体の流れで抵抗が生じて浮き上がる様に寸法を決定する。管継手２２、管継手２３に夫々チューブ２８，２９を挿入する。金属円筒２６は下端停止時に近接スイッチ２５で検知できない位置に配置する。
【作用】
【１１】チューブ２８、管路２４、チューブ２９内を流体が下から上へ流れると、金属円筒２６は押し上げられて上方に移動する。その時近接スイッチ２５は金属円筒２６を検知し信号を発信する。流体の流れが止まると金属円筒２６は元の位置に沈み込む。
【効果】
【１２】流れセンサ２１は流れセンサ１と同じ効果がある。光電スイッチ５を近接スイッチ２５にすることにより不透明材質で構成できＵＶ樹脂等の光硬化樹脂に対応できる。
【１３】金属円筒２６の長さを正確に設定し上端でＯＮ、下端でＯＦＦを検知しその時間を計測して流量に換算すると流れの有無だけでなく流量測定や粘度測定にも適応できる。
あるいは近接スイッチ２５を２段あるいは多段に設置し（空隙部３１に容易に設置可能）、２点間の金属円筒２６の通過時間を測定し流量、粘度に換算すると流れの有無だけでなく流量、粘度の測定にも適応できる。
この通過時間を測定し所要の測定量に換算する機能のアンプと流れセンサ２１との組み物は使用に便利なセットになる。流体の粘度、流体の流量範囲、円筒フロートの管路との隙間、円筒フロートの内径、円筒フロートの重量等をアンプの演算パラメーターにするとより正確な所要の測定量を検出することができる。
【１４】金属円筒２６の上部にバネを設置して金属円筒２６を押える様に構成すると設置姿勢を自由にでき、金属円筒でなく他の材質の円筒にできる。
【図面の簡単な説明】
【１５】
【図１】実施例１の断面図
【図２】実施例１のＡ断面図
【図３】実施例２の断面図
【図４】実施例２のＢ断面図
【符号の説明】
【１６】１：流れセンサ  ２：管継手  ３：管継手  ４：管路  ５：光電スイッチ  ６：金属円筒  ７：固定ナット  ８：チューブ  ９：チューブ
【図１】
0003172453.tif 000003
【図２】
0003172453.tif 000004
【図３】
0003172453.tif 000005
【図４】
0003172453.tif 000006
【図１】
0003172453.tif 000007
【図２】
0003172453.tif 000008
【図３】
0003172453.tif 000009
【図４】
0003172453.tif 000010
【手続補正書】
【提出日】平成23年9月9日(2011.9.9)
【手続補正１】
【補正対象書類名】図面
【補正対象項目名】全図
【補正方法】変更
【補正の内容】
【図１】
0003172453.tif 000011
【図２】
0003172453.tif 000012
【図３】
0003172453.tif 000013
【図４】
0003172453.tif 000014
(57)【要約】      （修正有）【課題】ビニール袋の持ち手部の絞り方によって角度を任意に変えることができ、調整すれば手提げをすでに持っている時にビニール製の弁当袋を持っても弁当の傾きを最小限に抑えることができるクリップを提供する。【解決手段】ビニール袋の持ち手をクリップの穴に通し、あらかじめビニール袋を持ったときに角度をつけておき手提げと同時に持った時のビニール袋の傾きを補正する。クリップの材質を紙で作ることにより安価に作ることができ、使い捨てや、リサイクルをすることができる。そして、材質が紙であることにより小型で軽量、厚さも薄くできるので携帯できる手軽さを実現する。【選択図】図２
0003172460.tif 000002
【実用新案登録請求の範囲】
【請求項１】
すでにあるビニール袋の形状を変えずクリップによりあらかじめ補正用の角度を弁当に与え、手提げと同時にビニール製の弁当袋を持った時弁当の角度をほぼ水平に維持し弁当の片寄りや汁こぼれを防止できる。
【請求項２】
このクリップは、厚さ１mm程度のダンボールや紙で作ることができ、使い捨てや、リサイクル可能であり、又大きさも小型で軽量かつ薄いため財布などに携帯可能である。
【考案の詳細な説明】
【技術分野】
【０００１】
本発明は、複数の手提げ荷物を持っている時にビニール製のコンビニ弁当袋等を持つことによって袋の中の弁当が傾き、弁当の片寄りや汁こぼれを防止するものである。
【背景技術】
【０００２】
せっかく買った弁当が手に持って移動中に片寄ってしまったり、汁がこぼれてしまって開封する時にこぼれて服や手、机や書類などを汚してしまったり、中身が混じって味がおかしくなってせっかくの弁当をだいなしにしてしまったり、弁当の傾きに気をつかって歩かなければならないという事を誰もが経験していることだと思われる。
【考案の概要】
【考案が解決しようとする課題】
【０００３】
すでに手提げ袋等を持っている場合、その袋や手提げ持ち手部分に新しい荷物（ビニール製の弁当袋）がぶつかり持ち手部分を中心に弁当袋の弁当に角度（θ＋θ′図５）が付いてしまう。これを解決するには、あらかじめビニール製の袋の持ち手部の長さが違うビニール袋に弁当を入れて、普通に持ったときに初めから傾くようなビニール袋を作ればよいが現状のビニール袋から特殊なビニール袋を作るには、生産ラインや生産工程の見直しを行わなければならない等の問題点が多すぎる。これを考えるとビニール袋の形状や規格を変えることのない他の方法と言うことになる。そこで、これを使えば、ビニール袋はそのままでビニール袋の持ち手部の絞り方によって角度を任意に変えることができ、調整すれば手提げをすでに持っている時にビニール製の弁当袋を持っても弁当の傾きを最小限に抑えることができる。
【課題を解決するための手段】
【０００４】
ビニール袋の持ち手部を穴のあいたクリップで絞ることによりあらかじめビニールの弁当袋に傾きを与えて手提げと同時に持った時に水平に近い角度になるように角度を補正する。
【考案の効果】
【０００５】
手提げを持っている手にさらにコンビニ弁当を持って歩いてみたら弁当の傾きが気になり、弁当の傾きを直しながら歩いたり、ビニール製の弁当袋を手で引っ張って持って傾きにくくなるように直して歩いたりしなければならない。しかし、このクリップで、はじめから傾きがつくようにビニール袋を絞ったら弁当が最初にあわせた角度に、ほぼ維持され弁当の傾きを気にせず歩けた。その結果、中身の片寄りや汁こぼれは、激減した（手提げを持ってクリップなしでビニール製の弁当袋を同時に持って歩いたときより）。
【図面の簡単な説明】
【０００６】
【図１】図１は、クリップの全体図を示す。大きさは、短辺が３センチ程度で長辺が５センチ程度で小型かつ軽量である。
【図２】使用方法（クリップ装着前）を示す。ビニール製の弁当袋の持ち手部をクリップの穴に通しA側又はB側方向に引っ張りあらかじめビニール製の弁当袋を持った時にビニール袋の持ち手部に対して弁当の重心を変える（変心させる）。
【図３】使用方法（クリップ装着）を示す。あらかじめA側又はB側のどちらかを多めに引っ張ってビニール製の弁当袋の持ち手部を絞ったところである。
【図４】使用方法（クリップ装着により袋を絞ったところ）を示す。ビニール製の弁当袋の持ち手部をクリップを使って絞った状態を横から見たものであり、ビニール製の弁当袋の持ち手部の中心と弁当の中心がずれているためビニール製の弁当袋の持ち手部を持って持ち上げると弁当があらかじめ傾く様になっている。
【図５】袋の傾き（手提げを一個すでに持っている時にビニール製の弁当袋をさらに持った時の弁当の傾き）を示す。手提げ袋を一つ持った状態でさらにビニール製の弁当袋を持つと弁当の角がすでに持っている手提げ袋の持ち手部や手提げの袋の所に接触してθ＋θ′の角度に傾く。
【図６】使用方法（手提げを持たないときに弁当袋をクリップで絞ったところ）を示す。この場合ビニール製の弁当袋以外手に持たないので弁当は傾くことはないが、ビニール製の弁当袋の持ち手部をクリップで内容物の重心に対して絞ればビニール袋とその内容物の空間部分が減り内容物がビニール袋の中で動くことを防止してより安定した状態を維持できる。
【図７】使用中（手提げを持って弁当をほぼ水平になるようにクリップで絞ったビニール袋を持った状態）を示す。ほぼ水平の状態を維持している。
【考案を実施するための形態】
【０００７】
図２にあるようにビニール袋の持ち手をクリップの穴に通し、あらかじめビニール袋を持ったときに角度をつけておき手提げと同時に持った時のビニール袋の傾きを補正する。
【実施例】
【０００８】
図７にあるようにほぼ水平に近くセットした角度を維持して移動できた。
【産業上の利用可能性】
【０００９】
近年ファーストフードのテイクアウト、コンビニやファーストフード店の数が増加している事や、外食に頼る人が多くなっていることや、クリップの単価がかなり安いということを考えると需要が望まれる。
【図１】
0003172460.tif 000003
【図２】
0003172460.tif 000004
【図３】
0003172460.tif 000005
【図４】
0003172460.tif 000006
【図５】
0003172460.tif 000007
【図６】
0003172460.tif 000008
【図７】
0003172460.tif 000009
【手続補正書】
【提出日】平成23年10月17日(2011.10.17)
【手続補正１】
【補正対象書類名】実用新案登録請求の範囲
【補正対象項目名】全文
【補正方法】変更
【補正の内容】
【実用新案登録請求の範囲】
【請求項１】
すでにあるビニール袋の形状を変えずビニール袋のもち手部を通して絞るための穴がある小判型のクリップによりあらかじめ補正用の角度を弁当に与え、手提げと同時にビニール製の弁当袋を持った時弁当の角度をほぼ水平に維持できる弁当の傾き防止クリップ。
【請求項２】
クリップは、厚さ１ｍｍ程度のダンボールや紙で作成されていることを特徴とする請求項１記載の傾き防止クリップ。
(57)【要約】      （修正有）【課題】放射性を含む下水汚泥およびその焼却灰、運動場の表土、ガレキ等を収容し、酸性雨、塩害、酸性ガス、水分等によりコンクリートの中性化、劣化することを防ぐ組立ボックスを提供する。【解決手段】二酸化炭素を吸収し珪酸（ガラス質）の皮膜を形成する塗料をコンクリート表面に塗布したものであり、内部に収納空間を有する立方体である。【選択図】図１
0003172452.tif 000002
【実用新案登録請求の範囲】
【請求項１】
酸性雨、塩害、酸性ガス、水分等によるコンクリートの中性化、劣化を防ぐ処置を施したコンクリート製組立ボックスである。
【請求項２】
放射性を含んだ下水汚泥およびその焼却灰、運動場の表土、ガレキを一時的に収容・保管することを目的としたコンクリート製組立ボックスである。
【考案の詳細な説明】
【技術分野】
【０００１】  本考案は、中性化、劣化を防ぐ表面処置を施したコンクリート製組立ボックスに属する。
【背景技術】
【０００２】  従来のコンクリート製組立ボックスは現場打ち、工場製を問わず打ちっ放しが通常であり、時間経過によるコンクリート製品の中性化、劣化に対して何ら対策を施されていなかった。
【考案が解決しようとする課題】
【０００３】  コンクリートは放射線を遮蔽するにあたって有効な材料だが、長期間にわたって放射性廃棄物を収容・保管するにあたっては、昨今の酸性雨や酸性ガスによる中性化、また一般に塩害や水分による劣化の不安があった。
【課題を解決するための手段】
【０００４】  二酸化炭素を吸収し珪酸（ガラス質）の皮膜を形成する塗料をコンクリート表面に塗布することで達成することができる。
【考案の効果】
【０００５】  本考案により、コンクリートの中性化や劣化を防ぎ耐久性を増すことができる。
【図面の簡単な説明】
【０００６】
【図１】本考案の斜視図
【考案を実施するための形態】
コンクリート製品の表面にハケまたはペイントローラーで下塗りし、乾燥後に同じ手順で塗布する。
【０００７】  塗布工程前のコンクリート製品は、基本的に従来のコンクリート製品の製造工程となんら変わることはない。
【実施例】
【０００８】  放射性を含んだ下水汚泥およびその焼却灰、運動場の表土、ガレキを一時的に収容・保管する。
【図１】
0003172452.tif 000003
【手続補正書】
【提出日】平成23年9月28日(2011.9.28)
【手続補正１】
【補正対象書類名】実用新案登録請求の範囲
【補正対象項目名】全文
【補正方法】変更
【補正の内容】
【実用新案登録請求の範囲】
【請求項１】
二酸化炭素を吸収し珪酸（ガラス質）の皮膜を形成する塗装処置を施したコンクリート製の、内部に収納空間を有し上蓋部の取り外し及び密閉が可能な立方体の組立ボックス。
【手続補正２】
【補正対象書類名】図面
【補正対象項目名】図１
【補正方法】変更
【補正の内容】
【図１】
0003172452.tif 000004
【手続補正３】
【補正対象書類名】図面
【補正対象項目名】図２
【補正方法】追加
【補正の内容】
【図２】
0003172452.tif 000005
【手続補正４】
【補正対象書類名】明細書
【補正対象項目名】０００６
【補正方法】変更
【補正の内容】
【０００６】
【図１】本考案の斜視図（上蓋部を開いた状態）
【図２】本考案の斜視図（上蓋部密閉状態）
(57)【要約】      （修正有）【課題】有効に人体脇部の冷却・保温効果を発揮するためのシャツ構造を提供する。【解決手段】半袖のシャツ１に体側ポケット２を設け、シャツの脇部内面にて開口部３を上向きにして縫着される。腕側ポケット４は、体側ポケットと同一物であってその開口部５を体側ポケット開口部に近接させて、シャツの腕部内面脇部分に縫着される。保冷剤１０は、水と高吸水性樹脂等を軟質合成樹脂シート内に封入した長方形物体である。その中央は薄く形成されて折曲個所としての役割を有している。使用に際しては、まず保冷剤をポケットに挿入保持させる。シャツの胴体下部より保冷剤をくぐらせて体側ポケットにその半分を挿入し、腕側ポケットに残り半分を挿入する。【選択図】図２
0003172490.tif 000002
【実用新案登録請求の範囲】
【請求項１】
袖付きシャツの内面において、体側脇部と腕側脇部にポケットを各々設けるとともに、互いのポケット開口部を近接させて位置させたことを特徴とする脇部ポケット付きシャツ。
【請求項２】
ポケット開口部を円弧状としてなる請求項１記載の脇部ポケット付きシャツ。
【請求項３】
ポケット開口部を逆台形状としてなる請求項１記載の脇部ポケット付きシャツ。
【考案の詳細な説明】
【技術分野】
【０００１】  この考案は、冷却部材収納のためのポケットを脇部内面に設けたシャツに関する。
【背景技術】
【０００２】  従来より、種々のシャツが利用されているが、本案に示すように、脇部内面にポケットを有するシャツは見あたらない。
【考案の開示】
【考案が解決しようとする課題】
【０００３】  風邪その他体調不良時に発熱することがあり、熱冷まし手段がよく利用される。
一般的には、解熱剤の服用や冷却ジェルシートなどが利用され、また保冷剤を内蔵した保冷枕も利用されている。保冷剤は水と吸水性樹脂、防腐剤、形状安定剤を主成分として制作され、比熱が大きく、冷却して用いられる。
人体発熱時には、動脈やリンパ管が比較的皮膚の表面近くを通る脇や首筋を冷やすと効果的とされているが、現在多用されているのは、上記の保冷枕や氷嚢あるいは熱冷まし時に額に貼るシートなどであり、脇に対する冷却手段は見あたらない。
本案は以上に鑑み、脇を効果的に冷却して発熱時対策とするための有力なる手段を提供することを目的として考案されたものである。
【課題を解決するための手段】
【０００４】  課題を解決する手段として本案は以下の構成とした。
すなわち、袖付きシヤツの内面において、体側脇部と腕側脇部にポケットを各々設けるとともに、互いのポケット開口部を近接させて位置させる。
本案は以上の構成よりなる脇部ポケット付きシャツである。
【考案の効果】
【０００５】  本案によれば、シャツ内面脇部にポケットを各々設けたので、このポケット内に保冷剤を挿入保持することにて、人体脇部を効果的に冷やすことができて、人体発熱時における新たなる熱冷まし効果を発揮できる有用なる手段を得ることができる。なお、このポケット内にカイロ等の発熱体を挿入位置させることにより、人体保温効果も得ることができる。
【考案を実施するための最良の形態】
【０００６】  以下、本考案の実施形態について説明する。
図において、１は半袖のシャツ、２は体側ポケットで、シャツの脇部内面にて開口部３を上向きにして縫着される。４は腕側ポケットで、体側ポケットと同一物であってその開口部５を体側ポケット開口部に近接させて、シャツの腕部内面脇部分に縫着される。
１０は保冷剤である。水と高吸水性樹脂等を軟質合成樹脂シート内に封入した長方形物体である。その中央は薄く形成されて折曲個所１１としての役割を有している。
本案の使用に際しては、まず保冷剤をポケットに挿入保持させる。シャツの胴体下部より保冷剤をくぐらせて体側ポケットにその半分を挿入し、腕側ポケットに残り半分を挿入する。これで保冷剤を図２にて示すように双方のポケット内にスムースに折曲して位置させることができる。これを左右双方の脇部ポケットに対して行い、準備が完了する。
このシャツを着ると保冷剤にて人体脇部は冷却され、効果的に人体の熱冷まし効果を得ることができる。図３〜図４は、本案の変化例を示すものである。図３はポケットの外側布体上部を円弧状に形成して円弧状開口部６とし、図４は同部を逆台形状とした逆台形状開口部７としたものであり、双方ともに保冷剤をポケットに挿入しやすくする効果がある。【０００７】  以上、本案について記したが、本案はシャツ脇部にポケットを設けたところにその特徴を有し、保冷剤をこのポケット内に位置させて人体脇部を効果的に冷やすことができて、人体発熱時に有益なものとなり、従来にない新たなる冷却手段を提供するものである。
本案は、風邪などによる発熱時のほかに、熱中症の対策としても有効と思われる。
また、保冷剤以外に、カイロなどの発熱体を用いることにて、逆に低体温対策、災害時、遭難時に人体を温める手段としても十分利用することができる。
なお、既述の例ではポケットをシャツに縫着するものとしたが、他の手段、例えば粘着にて設けてもよい。この場合は、ポケットを別に携帯し、使用時に剥離紙を除去して粘着層を露出させてシャツ脇部に粘着させて用いることができて、非常時に便利である。
以上のごとく、本案にて人体に対する有力な保冷・保温効果を得ることのできる有用なる手段を得ることができる。【０００８】
【図面の簡単な説明】
【０００９】
【図１】本考案のシャツ全体図
【図２】本考案のポケット構造説明図
【図３】本考案のポケット変化例図
【図４】本考案のポケット変化例図
【図５】本考案の保冷剤形状平面図
【図６】本考案の保冷剤形状正面図
【符号の説明】
【００１０】１    シャツ
２    体側ポケット
３    開口部
４    腕側ポケット
５    開口部
６    円弧状開口部
７    逆台形状開口部
１０  保冷剤
１１  折曲個所
【図１】
0003172490.tif 000003
【図２】
0003172490.tif 000004
【図３】
0003172490.tif 000005
【図４】
0003172490.tif 000006
【図５】
0003172490.tif 000007
【図６】
0003172490.tif 000008
(57)【要約】【課題】人手や時間がかかり、困難を要する経帷子の着用を簡便な形にし、更に見た目にも華やかな経帷子の代わりとなるものを提供する。【解決手段】首の後ろで結ぶだけのロングケープ型にすることで、どのような体型にも対応でき、従来品に見られる着用の手間が解消できる。また、様々な色合いの生地や装飾により華やかさを加え、従来品とは異なる現代風に仕上げる。【選択図】図１
0003172487.tif 000002
【実用新案登録請求の範囲】
【請求項１】
故人の全身を被うロングケープ式経帷子において、故人の首の後ろで結ぶ首紐を備え、長短と長さの異なる生地を二枚重ね、上側になる短い丈の生地には、透明感のある素材を使用し、襟元から裾に向かって装飾品を施した経帷子。
【考案の詳細な説明】
【技術分野】
【０００１】本考案は、故人に着用させる経帷子に関するものである。
【背景技術】
【０００２】経帷子は、故人が着用する装束で、一般的には、白い麻や木綿で作られた単衣の着物である。着用の際には、腕を通すなど困難を要する。例えば、特許文献１を参照。
【先行技術文献】
【特許文献】
【０００３】
【特許文献１】実用新案登録番号  第３０５９０７７号
【考案の概要】
【０００４】本考案は、着用が簡単なロングケープ型をした経帷子の代わりとなるものである。
【考案が解決しようとする課題】
【０００５】困難を要していた着用方法を簡単なものにし、準備の手間を省きながらも、より良い経帷子の代わりとなるものを提供する。
【課題を解決するための手段】
【０００６】本考案は、請求項から首の後ろで結ぶだけのケープ型にすることで、従来品に見られる硬直した故人に着用させる困難さを解消する。首からつま先までを被う長さにすることで、老若男女、どのような体型にも対応でき、中に着用しているものに関わらず、故人を綺麗に被うことができる。
【考案の効果】
【０００７】本考案は、現代にマッチした華やかな装飾を施した洋装で、着用も簡便な経帷子の代わりとなる旅立ちに相応しい衣装が提供できる。
【図面の簡単な説明】
【０００８】
【図１】本考案による経帷子の全体構成の概要を示す図である。
【符号の説明】
【０００９】１．首紐付きロングケープ
２．装飾付きケープ
３．装飾用部材
【図１】
0003172487.tif 000003
(57)【要約】      （修正有）【課題】手巻寿司を食べるときに起こる棒状飯の中央に詰められた具材、納豆やいくら等のこぼれを防ぐ海苔を提供する。【解決手段】手巻寿司に使う、長方形の海苔の長手方向の長さを、食べるとき棒状飯に海苔を巻き付けた後で棒状飯の直径を超える長さにして、棒状飯に海苔を巻いた後、海苔が棒状飯の直径より多く余るようにするそして余った海苔を切り離して、切り離した海苔を棒状飯の片面に貼り付け手で海苔を押さえながら食べる。【選択図】図３
0003172488.tif 000002
【実用新案登録請求の範囲】
【請求項１】
包装フイルム内に封入された長方形の手巻寿司用海苔の長手方向の長さを、食べるときに棒状飯に海苔を巻き付けた後で残る海苔の長さを、棒状飯の直径を超える長さになるよう作られた手巻寿司用海苔。
【請求項２】
手巻寿司に使う包装フイルム内に封入された長方形の海苔とは別個に包装したまたは同封した棒状飯の直径超える長さと棒状飯と同じ長さがある長方形の具材防止用海苔。
【考案の詳細な説明】
【技術分野】
【０００１】本考案は、棒状飯を海苔と分離してフイルム包装した手巻寿司に関するものである。
【背景技術分野】
【０００２】従来、芯の部分に納豆やシーフードなどの各種の具を詰め込んだ棒状飯と海苔を分離してフイルム包装し、それぞれフイルムを開いて取り出した棒状飯に海苔を巻き付けて食べるようにした手巻寿司が知られている。
【先行技術文献】
【特許文献】
【０００３】
【特許文献１】実用新案登録第３１２５００３号
【考案の概要】
【考案が解決しようとする課題】
【０００４】解決しようとする問題点は、納豆巻寿司やイクラ巻寿司等の手巻寿司を食べる途中で棒状飯の中央に詰められた具材がこぼれる点である。
【課題を解決するための手段】
【０００５】本考案は、包装フイルム内に封入された長方形の海苔の長手方向の長さを、食べるときに棒状飯に海苔を巻き付けた後で残る海苔が棒状飯の直径を超える長さになるように作り、棒状飯に海苔を巻いた後、海苔の残りが棒状飯の直径より長く残るようにする、そして食べるとき巻いた後余った海苔を切り離して、切り離した海苔を棒状飯の片面に貼り付け手で海苔を押さえながら食べることで棒状飯の中央に詰められた具材がこぼれるのを防止する。または別個に包装フイルム内に封入された海苔を用意し食べるときに棒状飯に海苔を巻いた後で用意した海苔を棒状飯の片面に貼り付け手で押さえながら食べることで、食べるときに起こる具材のこぼれるの防止する。
【考案の効果】
【０００６】本考案の手巻寿司用海苔は、棒状飯に海苔を巻いた後余った海苔を切り取り棒状飯の片面に貼り付けた後海苔を手で押さえながら食べることで、または別個に用意した海苔を棒状飯の片面に貼り付け手で押さえながら食べることで、手巻寿司を食べるときに起こる具材のこぼれを防止できる。
【図面の簡単な説明】
【０００７】
【図１】この考案のに係わる包装フイルムの展開状態を示す平面図である。
【図２】この考案のに係わる包装フイルムの展開状態を示す平面図である。
【図３】この考案のに係わる棒状飯の片面に海苔を貼り付けた状態を示す斜視図である．
【図４】この考案のに係わる棒状飯の片面に海苔を貼り付けた状態を示す正面図である
【考案を実施するための形態】
【０００８】  手巻寿司を食べるとき、棒状飯の中央に詰められた具材がこぼれて困るので手巻寿司に使う長方形の海苔の長手方向の長さを、食べるときに棒状飯に海苔を巻き付けた後、海苔の残りが棒状飯の直径をより長く残るようにする、そしてたべるとき巻いた後余った海苔を切り離して、棒状飯の片面に海苔を貼り付け手で押さえながら食べることで具材のこぼれを防止する。または別個に包装フイルム内に封入された海苔を用意し食べるときに棒状飯に海苔を巻いた後で用意した海苔を棒状飯の片面に貼り付け手で押さえながら食べることで、食べることときに起こる具材のこぼれを防止する。
【実施例】
【０００９】  図３は，本考案の手巻寿司の実施例の斜視図であって、棒状飯に海苔を巻き付け残りの  海苔を切り離し切り離した海苔または別個に用意した海苔を棒状飯の片面に貼り付け手  で押さえながら食べることで具材のこぼれを防止する。
【産業上の利用可能性】
【００１０】  手巻寿司を食べるとき、具材防止用海苔を棒状飯の片面に貼り付け手で押さえながら食  べることで、具材がこぼれず安心して食べられる。
【符号の説明】
【００１１】１  棒状飯
２  海苔
３  包装フイルム
４  別個に用意した海苔
５  具材
【図１】
0003172488.tif 000003
【図２】
0003172488.tif 000004
【図３】
0003172488.tif 000005
【図４】
0003172488.tif 000006
(57)【要約】      （修正有）【課題】整髪時に必要なブラシと櫛を常備するのに場所を取らず、直ぐ取り出せて誰にでも使いやすくコストの安いコンパクトなブラシと櫛を提供する。【解決手段】ブラシ部１と櫛歯２ａを横にした櫛部２とで回動自在に枢着され、該ブラシと該櫛部は相対的に回動し、折り畳み位置から使用位置のストッパー４に当接するまでの間で規制される。使用の際は、必要に応じ一方を使用すれば他方を握り柄として使用し、使用後は折り畳むと横に寝かした該櫛部が該ブラシの上面を覆う形になってかさ張ることなくコンパクトに収納出来る。【選択図】図４
0003172482.tif 000002
【実用新案登録請求の範囲】
【請求項１】
ブラシ部と櫛歯を横にした櫛部とで回動自在に枢着され、該ブラシと該櫛部とは相対的に回動し、折り畳み位置から使用位置のストッパーに当接するまでの間で回動範囲が規制され、使用の際は、必要に応じ一方を使用すれば他方を握り柄として使用し、使用後は折り畳むと横に寝かせた該櫛部が該ブラシの上面をカバーしてなる折り畳み可能なブラシと櫛。
【考案の詳細な説明】
【技術分野】
【０００１】  本考案は整髪の必要に応じてブラシと櫛を使い分ける事が出来、携行に便利なブラシと櫛に関する。
【背景技術】
【０００２】  整髪にはブラシや櫛が使用され、携行用として従来において、例えば引用文献１に開示のごとく、握り柄とするカバーとブラシ及び櫛からなり  ブラシと櫛を握り柄とするカバー内に並列に折り畳んで収納し、必要に応じ、いずれかを取り出す構造のものが見られる。
【先行技術文献】
【特許文献】
【０００３】
【特許文献１】実用新案登録第３１０６６１４号
【考案の概要】
【考案が解決しようとする課題】
【０００４】  前記特許文献１の構成ではブラシと櫛の必要な一方を選択して使用でき、場所も取らず携行に便利であるが、ブラシと櫛を、握り柄となるカバー内に折り畳んで並列に収納する為、ブラシの幅が制約される事と、選択して取り出すときに老人や指を損傷している人等にとって手間取る問題があった。また  カバー、ブラシ、櫛  からなる三点構成部材はコスト面において無視できない割高になる問題があった。【０００５】本考案は上記の問題を鑑みてなされたものであり、その目的は構成が簡単で、低コストで、老人や指を損傷している人等でも容易に使用できる折り畳み式ブラシと櫛を提供する事にある。
【課題を解決する為の手段】
【０００５】  前記課題を解決する手段として、本考案はブラシ部と櫛歯を横にした櫛部とで回動自在に枢着され、該ブラシと該櫛部とは相対的に回動し、折り畳み位置から使用位置のストッパーに当接するまでの間で回動範囲が規制され、使用の際は、必要に応じ一方を使用すれば他方を握り柄として使用し、使用後は折り畳むと横に寝た該櫛部が該ブラシの上面を覆う形になって、嵩張ることなくコンパクトに収納出来る折り畳み可能なブラシと櫛を提案するものである。
【考案の効果】
【０００６】    上記構成の通り本考案に係る折り畳み可能なブラシと櫛においては、ブラシと櫛の二つの構成部材からなっており、構造が簡単でコストの低減が出来る。またカバーとその内部にブラシと櫛を収納する必要がないので、老人や指を損傷した人たちでも使用が容易で取り出す手間も要らず、ブラシと櫛を開張して必要とする一方を使用すれば他方を握り柄として使い、使用後は折り畳んでブラシ上面を横に寝かせた櫛部が覆う形になり、嵩張ることなくコンパクトに収納出来、旅行等に携行するには極めて便利である。
【図面の簡単な説明】
【０００７】
【図１】ブラシと櫛が使用位置に開張した態様を示す概略左側面図
【図２】図１に示すブラシと櫛の概略正面図
【図３】図１に示すブラシと櫛の概略背面図
【図４】図１に示すブラシと櫛の折り畳んだ態様を示す概略左側面図
【考案を実施するための最良の形態】
【０００８】  以下図面を参考にして本考案に係るブラシと櫛の実施形態を以下に説明する。図１及び図２はブラシ１と横に寝た櫛２とが使用位置に開張した態様を示す左側面と正面の概略図であり、ブラシ部１と横に寝た櫛部２とが枢支軸３により回動自在に枢着され、その回動範囲は折り畳み位置から使用位置のストッパー４に当接するまでの範囲で規制されている。【０００９】ブラシ部１にはブラシ素子１ａが装着してあり櫛部２には櫛歯２ａを備えている。必要に応じて一方を選択した場合は他方を握り柄として使用する。【００１０】  使用後は図４に示すごとく枢支軸３を中心に折り畳み、ブラシ部素子２ａの上面に横に寝た櫛部２／２ａが覆う形になり嵩張ることなくコンパクトに収納出来る。
【符号の説明】
【００１１】  １．  ブラシ部
１ａ．ブラシ素子
２．  櫛部
２ａ，櫛歯
３．  枢支軸
４．  ストッパー
【図１】
0003172482.tif 000003
【図２】
0003172482.tif 000004
【図３】
0003172482.tif 000005
【図４】
0003172482.tif 000006
【手続補正書】
【提出日】平成23年10月25日(2011.10.25)
【手続補正１】
【補正対象書類名】実用新案登録請求の範囲
【補正対象項目名】全文
【補正方法】変更
【補正の内容】
【実用新案登録請求の範囲】
【請求項１】
ブラシ部１と櫛歯２ａを横にした櫛部２とで枢支軸３を中心に回動自在に枢支され、該ブラシ部１と該櫛部２とは相対的に回動し、折り畳み位置から使用位置のストッパー４に当接するまでの間で回動範囲が規制され、使用の際には、ブラシ部１と櫛部２とを互いに当接するまで開張した使用位置において、必要に応じ一方を使用すれば他方を握り柄として使用するとともに、使用後は互いに対面的に折り畳まれ、櫛歯２ａを横に寝かせた該櫛部２がブラシ素子部１ａの上面を覆う形で重なる態様での折り畳み可能なブラシと櫛。
(57)【要約】【課題】被介護者自身が簡単に着脱できる介護用エプロンを提供すること。【解決手段】エプロン本体の上部に延伸した左右の肩掛け部に滑り止め材を取付けた、介護用エプロンである。【選択図】図１
0003172478.tif 000002
【実用新案登録請求の範囲】
【請求項１】
エプロン本体の上部に延伸した左右の肩掛け部に滑り止め材を取付けたことを特徴とする、介護用エプロン。
【考案の詳細な説明】
【技術分野】
【０００１】  本考案は、介護用エプロンに関するものである。
【背景技術】
【０００２】  従来、介護用エプロンとして様々なものが提案されているが、被介護者への装着は首の後で紐で結ぶか、あるいは面ファスナーやボタンで止めるものがほとんどである。
首の後で止めないものとして提案されているものには、例えば下記の文献がある。
【先行技術文献】
【特許文献】
【０００３】
【特許文献１】  実用新案登録第３１１８５１４号
【考案の概要】
【考案が解決しようとする課題】
【０００４】  介護用エプロンを被介護者に装着する場合、首の後で紐で結ぶか、あるいは面ファスナーやボタンで止めたりするものが一般的である。
この場合、介護用エプロンの装着は大抵介護者が行うことになるが、被介護者が自分で装着できるものとして提案されたものに実用新案登録第３１１８５１４号がある。
実用新案登録第３１１８５１４号においては、首廻り部に形状記憶素材を用い、端部にグリップボールを取付けて被介護者が自分で装着することが可能な構造になっている。
その点でこの考案は優れたものといえる。
本考案においては、被介護者自身が簡単に着脱できる介護用エプロンを提供する。
【課題を解決するための手段】
【０００５】  エプロン本体の上部に延伸した左右の肩掛け部に滑り止め材を取付けた、介護用エプロンである。
【考案の効果】
【０００６】  本考案の介護用エプロンは、被介護者自身が簡単に着脱できる。
本考案は、考案者が長年主人を介護した中で考案したもので、実際に試作し、使用して好評である。
【図面の簡単な説明】
【０００７】
【図１】本考案の平面図
【考案を実施するための形態】
【０００８】  エプロン本体（１）の上部に延伸した左右の肩掛け部（２）に滑り止め材（３）を取付ける。
【０００９】  エプロン本体（１）及び肩掛け部（２）の素材は、布、不織布、紙、プラスチック等いろいろのものが考えられる。
【００１０】  本考案を使用するときは、肩掛け部（２）の滑り止め材（３）を内側にして、肩掛け部（２）を肩から背中に回す。これにより滑り止め材（３）が衣服に密着して固定する。
【符号の説明】
【００１１】  １  エプロン本体
２  肩掛け部
３  滑り止め材
【図１】
0003172478.tif 000003
(57)【要約】      （修正有）【課題】上着を持つとき、厚さを軽減し、ずり落ちるのを防ぐ衣類を提供する。【解決手段】衣類の後ろ中心線又は脇線の上下２箇所に取り付けた衣類手提げ用もち手を通す為のリング状にした通し口に、手提げ用もち手の両端に端部と端部を着脱する留め具を付けた衣類手提げ用もち手を通して付ける。【選択図】図４
0003172475.tif 000002
【実用新案登録請求の範囲】
【請求項１】
衣類の後ろ中心線又は脇線の上下に固定して付けた衣類手提げ用もち手の付いた衣類。
【請求項２】
衣類の後ろ中心線又は脇線の上下２箇所に取り付けた衣類手提げ用もち手を通す為のリング状にした通し口に、手提げ用もち手の両端に端部と端部を着脱する留め具を付けた衣類手提げ用もち手を、通して付けた衣類手提げ用もち手の付いた衣類。
【請求項３】
衣類の後ろ中心線又は脇線の上下２箇所に取り付けた衣類手提げ用もち手を留める為の留め具に、端部の両端に留め具を付けた衣類手提げ用もち手を留めた、衣類手提げ用もち手の付いた衣類。
【考案の詳細な説明】
【技術分野】
【０００１】  本考案は、衣類、主に上着を手に持つときに持ちやすくする事に関する。
【背景技術】
【０００２】  従来の衣類、主に上着には手提げ用もち手が付いていなかった。
【考案の開示】
【考案が解決しようとする課題】
【０００３】  しかし、これでは、衣類、主に上着を腕等にかけると暑かったり、ずり落ちたりした。
【課題を解決するための手段】
【０００４】  そこで、リング状通し口と留め具ともち手を有する衣類（図１）（図４）（図６）（図７）（図８）（図９）を考案した。
【考案の効果】
【０００５】  よって、本考案のリング状通し口と留め具ともち手を有する衣類により、衣類、主に上着を持つとき暑さを軽減できたり、ずり落ちたりするのを防ぐことができる。
【考案を実施するための最良の形態】
【０００６】  本考案に係わるリング状通し口と留め具ともち手を有する衣類は（図１）に示すように衣類の後ろ中心線の上下に手提げ用もち手を固定して付けている。また（図７）に示すよう衣類の脇線の上下に手提げ用もち手を固定して付けている。また（図４）に示すように衣類の後ろ中心線の上下に手提げ用もち手を通すリング状の通し口を付けて、もち手を通している。（図５）に示すように衣類の後ろ中心線の上下に、手提げ用もら手を取り付ける為の留め具を付けている。（図６）に示すように留め具の着いたもち手を、留め具に留めている。（図７）に示すように衣類の脇線の上下に手提げ用もち手を固定して付けている。（図８）に示すように衣類の脇線の上下に手提げ用もち手を通す為のリング状の通し口を付けて、もち手の端部と端部を留める留め具の付いたもち手を通している。（図９）に示すように衣類の脇線の上下に手提げ用もち手を留める為の留め具を付けて、留め具の着いた手提げ用もち手を留めている。このリング状通し口と留め具ともち手を有する衣類で、衣類を持ちやすくしている。
【図面の簡単な説明】
【０００７】
【図１】  本考案に係わるリング状通し口と留め具ともち手を有する衣類の、もち手を衣類の後ろ中心線の縫い代に縫い付けた図である。
【図２】  本考案に係わるリング状通し口と留め具ともち手を有する衣類の、衣類手提げ用もち手を左右に引いた図である。
【図３】  本考案に係わるリング状通し口と留め具ともち手を有する衣類の、衣類手提げ用もち手を左右に引いて後ろで合わせた図である。
【図４】  本考案に係わるリング状通し口と留め具ともち手を有する衣類の、衣類手提げ用もち手を後ろ中心線の上下に付けたリング状通し口に通した図である。
【図５】  本考案に係わるリング状通し口と留め具ともち手を有する衣類の、取り外し可能にした衣類手提げ用もち手を取り付ける為の留め具の図である。
【図６】  本考案に係わるリング状通し口と留め具ともち手を有する衣類の、衣類手提げ用もち手を留め具にとめた図である。
【図７】  本考案に係わるリング状通し口と留め具ともち手を有する衣類の、脇線の上下に手提げ用もち手を固定して付けた図である。
【図８】  本考案に係わるリング状通し口と留め具ともち手を有する衣類の、脇線の上下に手提げ用もち手を通す為のリング状の通し口を付けて、もち手を通した図である。
【図９】  本考案に係わるリング状通し口と留め具ともち手を有する衣類の、脇線の上下に手提げ用もち手を留める為の留め具を付けて、手提げ用もち手を留めた図である。
【符号の説明】
【０００８】１  縫い目
２  固定用衣類手提げ用もち手
３  リング状通し口
４  リング状通し口に通す衣類手提げ用もち手
５  もち手の端部と端部を留める留め具
６  衣類手提げ用もち手をとめる為に、衣類に付けた留め具
７  留め具のついた衣類手提げ用もち手
８  衣類の裏側の脇線
９  衣類の裏側の後ろ中心線
１０  衣類手提げ用もち手に付けた留め具
【図１】
0003172475.tif 000003
【図２】
0003172475.tif 000004
【図３】
0003172475.tif 000005
【図４】
0003172475.tif 000006
【図５】
0003172475.tif 000007
【図６】
0003172475.tif 000008
【図７】
0003172475.tif 000009
【図８】
0003172475.tif 000010
【図９】
0003172475.tif 000011
(57)【要約】      （修正有）【課題】鋏の収納ケースとしても利用できる鋏の販売用包装ケースを提供する。【解決手段】本鋏の販売用包装ケースは、背面板１と前面板２とからなる鋏の形状に近似し、かつ上面開放のケースの形状を形成している。このケースには販売時の吊り下げフック用孔３と、商品脱落防止の固定具を取り付けるための固定具取り付け用孔４が空いている。さらに背面に設置された接着部６を利用して任意の場所に貼り付けることができるようになっている。【選択図】図１
0003172480.tif 000002
【実用新案登録請求の範囲】
【請求項１】
鋏の全面に近似した形状の背面板１と鋏の刃部とハンドル部の一部を覆う前面板２からなり、上面が開放されて鋏を自由に出し入れできる形状になっている鋏の販売用包装ケース。
【請求項２】
背面にフック用の孔３と、固定具取り付け用の孔４を有する請求項１に記載の鋏の販売用包装ケース。
【請求項３】
背面に両面テープまたは磁石シートからなる接着部６を有する請求項１に記載の鋏の販売用包装ケース。
【考案の詳細な説明】
【技術分野】
【０００１】  本考案は鋏の収納ケースとしても利用できる鋏の販売用の包装ケースに関するものである。
【背景技術】
【０００２】  鋏の販売用の包装形態としては、透明な樹脂からなるブリスターと紙製の台紙とで包装するブリスターパックが主であった。このブリスターパックは商品の視認性が良く、安価である特徴があった。
【考案の概要】
【考案が解決しようとする課題】
【０００３】  しかし、安全性や衛生面を考慮してケースとして利用しようとした場合、このブリスターパックでは繰り返し収納するための耐久性はなく、出し入れするのに時間がかかり、作業性が悪かった。そのため、利便性に優れた収納ケースを必要とした場合、別売のケースを探して購入しなければならないという負担を強いられていた。
【課題を解決するための手段】
【０００４】  本考案に係る鋏の販売用包装ケースは、鋏の全面に近似し、販売時の吊り下げ用のフックの孔と、鋏の脱落防止の固定具取り付け用の孔のあいた背面板と鋏の刃部とハンドル部の一部を覆う前面板とが接合され、上面開放の鋏ケースを形成している。このケースには背面に両面テープまたは磁石シートからなる接着部を有し、任意の場所に貼り付けることができるようになっている。
【考案の効果】
【０００５】  この形状としたことによって、鋏の販売用の包装ケースが、そのまま鋏のケースとしても利用する事ができ、背面の接着部を利用して任意の場所に保管場所を設定することができる。
【図面の簡単な説明】
【０００６】
【図１】本考案の立体図
【図２】本考案の鋏を収納した状態の正面図
【図３】本考案のケースの断面図
【符号の説明】
【０００７】１  背面板
２  前面板
３  フック用孔
４  固定具取り付け用孔
５  固定具
６  接着部
７  鋏
【図１】
0003172480.tif 000003
【図２】
0003172480.tif 000004
【図３】
0003172480.tif 000005